(57)【特許請求の範囲】
【請求項１】
可撓性の樹脂シートにより成形されるトレーと、可撓性の樹脂シートにより成形されてトレーに着脱自在に被さる透明の蓋体とを含んでなる包装容器であって、
トレーを平面略長方形で断面略溝形に形成してその内底には内部空間を長手方向に複数に分割する仕切り体を設け、トレーの周壁上端部から折り返し外壁を伸ばして外側に折り返すとともに、この折り返し外壁を外側に屈曲して蓋体を支持する段差肩受けを形成し、折り返し外壁の周方向に複数の抜け止めストッパを間隔をおいて形成し、各抜け止めストッパを、トレーの開口方向から底方向に向かうにしたがい徐々に広がりながら傾斜する第一の傾斜辺と、この第一の傾斜辺の下端に設けられてトレーの内方向に曲がる第一の屈曲辺とから構成し、
蓋体を中空略角錐台形の平面略長方形に形成し、この蓋体の少なくとも短い傾斜周壁の上下方向に、内側方向に凹む弾性の屈曲壁を形成し、蓋体の傾斜周壁の下部周方向に、複数の抜け止めストッパにそれぞれ嵌まる抜け止め穴を間隔をおいて形成するとともに、各抜け止め穴を、抜け止めストッパの第一の傾斜辺に外側から対向して重なる第二の傾斜辺と、抜け止めストッパの第一の屈曲辺に外側から対向して重なる第二の屈曲辺とから構成したことを特徴とする包装容器。
【請求項２】
トレーの底面に模様を形成し、これら底面と模様とを凹凸にした請求項１記載の包装容器。
【発明の詳細な説明】
【０００１】
【発明の属する技術分野】
本発明は、和菓子や洋菓子等を収納する包装容器に関するものである。
【０００２】
【従来の技術】
従来の包装容器は、特許第２９４７４６９号に開示されているように、和菓子を収納するトレーと、このトレー上に押圧密嵌される蓋体とを備えている。
トレーは、図示しないが、所定の合成樹脂シートを使用して略有底角筒形に成形され、周壁の上端部に外方向下側に折り返される折り返し外壁が連設されており、この折り返し外壁には、蓋体の周壁を支持する段差肩受けが形成されている。また、蓋体は、図示しないが、所定の薄い合成樹脂シートを使用して略中空角錐台形に成形されている。
【０００３】
なお、この種の先行技術文献として、実開平第９‐１３８号公報や実用新案登録第３０２２０５９号等があげられる。
【０００４】
【発明が解決しようとする課題】
従来の包装容器は、以上のように蓋体が単に略中空角錐台形に成形されているに止まるので、蓋体に押圧力が上方から下方に適切に伝わらず、トレーに蓋体を円滑、かつ容易に嵌合することができないという問題がある。この問題を解消するには、トレー上に蓋体を多少強く押圧嵌合するという方法が考えられるが、そうすると、薄い合成樹脂シートからなる蓋体が潰れて変形し、元の形態に復元しないおそれが少なくない。このような弊害は、例えば高級な和菓子を収納する場合には、高級和菓子と包装容器とが醸し出す美的バランス、高級感、清潔感等が崩れ、その結果、販売促進機能が大幅に低下するので、放置することはできない。
【０００５】
本発明は、上記に鑑みなされたもので、トレーに蓋体を容易に被せることができ、しかも、合成樹脂シートからなる蓋体を強く被せても蓋体が簡単に変形することのない包装容器を提供することを目的としている。
【０００６】
【課題を解決するための手段】
本発明においては上記課題を達成するため、可撓性の樹脂シートにより成形されるトレーと、可撓性の樹脂シートにより成形されてトレーに着脱自在に被さる透明の蓋体とを含んでなるものであって、
トレーを平面略長方形で断面略溝形に形成してその内底には内部空間を長手方向に複数に分割する仕切り体を設け、トレーの周壁上端部から折り返し外壁を伸ばして外側に折り返すとともに、この折り返し外壁を外側に屈曲して蓋体を支持する段差肩受けを形成し、折り返し外壁の周方向に複数の抜け止めストッパを間隔をおいて形成し、各抜け止めストッパを、トレーの開口方向から底方向に向かうにしたがい徐々に広がりながら傾斜する第一の傾斜辺と、この第一の傾斜辺の下端に設けられてトレーの内方向に曲がる第一の屈曲辺とから構成し、
蓋体を中空略角錐台形の平面略長方形に形成し、この蓋体の少なくとも短い傾斜周壁の上下方向に、内側方向に凹む弾性の屈曲壁を形成し、蓋体の傾斜周壁の下部周方向に、複数の抜け止めストッパにそれぞれ嵌まる抜け止め穴を間隔をおいて形成するとともに、各抜け止め穴を、抜け止めストッパの第一の傾斜辺に外側から対向して重なる第二の傾斜辺と、抜け止めストッパの第一の屈曲辺に外側から対向して重なる第二の屈曲辺とから構成したことを特徴としている。  
なお、トレーの底面に模様を形成し、これら底面と模様とを凹凸にすることができる。
【０００７】
ここで、特許請求の範囲における仕切り体は、トレーの内部空間を２、３個に分割するのが主であるが、なんらこれに限定されるものではなく、例えば４、５、６個等に分割するものでも良い。屈曲壁は、少なくとも蓋体の短い傾斜周壁の上下方向に形成すれば良く、長い傾斜周壁を含む蓋体の全傾斜周壁の上下方向に形成しても良い。また、模様は、小物品にふさわしい美的バランス、高級感、清潔感等が損なわれないものであれば、自由に形成することができ、特に限定されるものではない。さらに、包装容器は、複数の食品、具体的には、和菓子や洋菓子等の包装に使用されるのが主であるが、なんらこれに限定されず、小物品である雑貨、文房具、玩具、薬品等の包装にも使用することができる。
【０００８】
本発明によれば、小物品を包装する場合には、トレー内の底面に複数の小物品を搭載し、このトレーの開口に蓋体を上方から被せれば良い。この際、蓋体の内側に曲った屈曲壁がバネ機能を発揮して蓋体に圧力を上方から下方に適切に作用させる。また、撓んだ屈曲壁が復元機能を発揮するので、薄い合成樹脂シートからなる蓋体を多少強く被せても、一部変形した蓋体が元の形態に復元する。
【０００９】
【発明の実施の形態】
以下、図面を参照して本発明の好ましい実施形態を説明すると、本実施形態における包装容器は、図１ないし図６に示すように、図示しない２個の和菓子を安定した状態で並べて収納するトレー１と、このトレー１上に着脱自在に密嵌する蓋体２０とを備えている。
【００１０】
トレー１は、例えばダイオキシン等の有害物質を発生させない無公害の薄い合成樹脂シート、具体的にはＰＰＦ製シート、ＰＥＴ製シート、ＰＶＣ製シート、ＰＰ製シートが真空（圧空）成形されることにより、蓋体２０よりも低い有底筒形に成形され、和菓子が引き立つよう着色（例えば、白色又は黒色）されている。この可撓性・弾性に優れるトレー１は、図１に示すように、四隅部が丸く面取りされた平面略長方形で断面略溝形に凹み形成され、その平坦な内底中央部には、長手方向に内部収納空間２を二つに分割区画する断面略逆Ｕ字形の仕切り体３が一体的に突出形成されている。
【００１１】
トレー１の二つに分割された底面には図１に示すように、搭載される和菓子との間に美的バランス、高級感、清潔感等を醸し出す連続した複数の波からなる模様４がそれぞれ一体形成され、各底面と模様４との間には凹凸が形成されている。また、トレー１の前後左右を形成する周壁５の上端部には図１、図２に示すように、外方向下側に伸長して折り返される折り返し外壁６が水平外方向に伸びる平坦で短い連結壁７を介し連設され、折り返し外壁６の上下方向における略中央には、蓋体２０の傾斜周壁５の下端部を支持する段差肩受け８が外側に屈曲されることにより形成されるとともに、折り返し外壁６の上下方向における下方には、外側に膨出する膨出壁９が形成されており、折り返し外壁６の四隅部を含む周方向には、リブ形の抜け止めストッパ１０が所定の間隔をおいて一体的に配設されている。
【００１２】
周壁５と折り返し外壁６の上端部、連結壁７は、左右方向における中央が高く、両側が低く形成されている。また、各抜け止めストッパ１０は、トレー１の折り返し外壁６の上部に一体形成されてトレー１の開口方向（上方向）から底方向（下方向）に向かうにしたがい徐々に広がりながら傾斜する第一の傾斜辺１１と、この第一の傾斜辺１１の下端に連設されてトレー１や折り返し外壁６の内方向に曲る第一の屈曲辺１２とから構成されている。各抜け止めストッパ１０の表面には、図示しない磨耗防止用の塗料が選択的に塗布される。
【００１３】
蓋体２０は、特にリサイクルし易く、透明性やダイオキシン等の有害物質を発生させない無公害の薄い合成樹脂シート、具体的にはＡ‐ＰＥＴ、ＰＰＦ製シート、ＰＥＴ製シート、ＰＶＣ製シート、ＰＰ製シートにより真空（圧空）成形されている。この可撓性・弾性に優れる蓋体２０は、図１、図３ないし図６に示すように、四隅部が縦長に面取りされた中空略角錐台形の平面略長方形に形成され、開口した底面が広く、天井が狭く形成されており、和菓子の状態を把握することができるよう透明に形成されている。蓋体２０は、天井が厚く、全傾斜周壁が薄く形成され、内面が曇らないようボードン加工されており、全傾斜周壁の下部周方向には、各抜け止めストッパ１０に嵌合係止する抜け止め穴２２が所定の間隔をおいて一体的に配設されている。
【００１４】
蓋体２０の広く長い一対の傾斜周壁の一部は外側に膨出形成され、この一部と残部との間は側面視で半円弧状に形成されている（図１、図３、図４参照）。また、蓋体２０の狭く短い一対の傾斜周壁には図３に示すように、内側方向に緩やかなカーブを描きながら僅かに凹む屈曲壁２１が上下方向に一体湾曲形成され、この弾性の屈曲壁２１が蓋体２０の嵌合時にバネ機能、復元機能を発揮する。
【００１５】
各抜け止め穴２２は、図５、図６に示すように、蓋体２０の傾斜周壁の下部の一部を別の角度で傾きながら形成し、第一の傾斜辺１１に外側から対向して重なる第二の傾斜辺２３と、この徐々に広がりながら傾斜する第二の傾斜辺２３の下端に連設されて蓋体２０の内方向に曲り、第一の屈曲辺１２に外側から対向して重なる第二の屈曲辺２４とから構成されている。各抜け止め穴２２には、図示しない磨耗防止用の塗料が選択的に塗布される。
【００１６】
上記構成において、和菓子を包装する場合には、トレー１内の底面に複数の和菓子を並べて搭載支持させ、このトレー１の開口に蓋体２０を上方から押し下げて密嵌すれば良い。この際、蓋体２０は、抜け止めストッパ１０の第一の傾斜辺１１に突っかかることなく、滑らかに摺接案内されることにより、徐々に下降しながらトレー１の水平方向外側に広がり、その後、第一の屈曲辺１２に第二の屈曲辺２４が嵌合係止するとともに、第一の傾斜辺１１に第二の傾斜辺２３が重なる。これにより、トレー１の段差肩受け８に蓋体２０の下端部が支持され、複数の和菓子が包装される。
【００１７】
上記構成によれば、蓋体２０の密嵌時にきわめて緩く内側に曲った屈曲壁２１がバネ機能を発揮するので、蓋体２０に押圧力が上方から垂直下方に適切に伝わり、トレー１に蓋体２０を円滑、かつ容易に密嵌することができる。したがって、強い嵌合力をあえて必要としないので、トレー１や蓋体２０の厚さを薄くし、製造コストの削減や軽量化等が大いに期待できる。また、可撓性の屈曲壁２１が復元機能を発揮するので、薄い合成樹脂シートからなる蓋体２０を多少強く嵌合したとしても、一部潰れた蓋体２０を元の形態に容易に復元することができる。したがって、高級な和菓子を収納する場合でも、高級和菓子と包装容器とが醸し出す美的バランス、高級感、清潔感等が崩れ、販売促進機能が低下することがない。
【００１８】
また、トレー１の抜け止めストッパ１０が単なる断面半小判形ではなく、ガイド機能を有する第一の傾斜辺１１が部分的に傾斜形成されているので、抜け止めストッパ１０に抜け止め穴２２が強く衝突して突っかかったり、引っかかることがない。したがって、強い嵌合力を用いずとも、抜けにくさを確保しつつトレー１に蓋体２０を抵抗なくスムーズに密嵌することができ、しかも、トレー１や蓋体２０が変形して体裁を悪化させたり、破損することがない。さらに、トレー１の底面に模様４を形成してこれら底面と模様４とを凹凸の関係にすれば、摩擦力により和菓子が横方向にずれて崩れることがない。
【００１９】
次に、図７ないし図１２は本発明の第２の実施形態を示すもので、この場合には、トレー１の内底に、長手方向に内部収納空間２を三つに分割区画する断面略逆Ｕ字形の仕切り体３を一体的に並設し、この三つに分割された底面に、和菓子との間に美的バランス、高級感、清潔感等を醸し出す連続した複数の波からなる模様４をそれぞれ一体形成するようにしている。その他の部分については、上記実施形態と基本的には略同様であるので説明を省略する。
本実施形態においても上記実施形態と同様の作用効果が期待でき、和菓子をより多く包装することができるのは明らかである。
【００２０】
なお、上記実施形態の折り返し外壁６は、周壁５の上端部から外方向下側に垂直に折り返されても良いし、外方向下側に傾斜しながら折り返されるものでも良い。また、周壁５と折り返し外壁６の中央を低く、左右両側をそれぞれ高く形成することも可能である。さらに、第二の傾斜辺２３を、蓋体２０の傾斜周壁の下部の一部を同一の角度で傾きながら形成するものとしても良い。
【００２１】
【発明の効果】
以上のように本発明によれば、トレーに蓋体を比較的容易に被せることができるという効果がある。また、例え蓋体を強く被せても、合成樹脂シートからなる蓋体が簡単に変形するのを抑制することができる。また、可撓性の屈曲壁が復元機能を発揮するので、蓋体を多少強く被せても、一部潰れた蓋体を元の形態に容易に復元することができる。さらに、各抜け止めストッパに、ガイド機能を有する第一の傾斜辺が部分的に形成されているので、抜け止めストッパに抜け止め穴が強く衝突して突っかかったり、引っかかるのを防ぐことができる。
【図面の簡単な説明】
【図１】本発明に係る包装容器の実施形態を示す全体斜視説明図である。
【図２】本発明に係る包装容器の実施形態におけるトレーを示す断面説明図である。
【図３】本発明に係る包装容器の実施形態における蓋体を示す側面説明図である。
【図４】図３の断面図である。
【図５】本発明に係る包装容器の実施形態における蓋体を示す正面説明図である。
【図６】図５の断面図である。
【図７】本発明に係る包装容器の第２の実施形態を示す全体斜視説明図である。
【図８】本発明に係る包装容器の実施形態におけるトレーを示す断面説明図である。
【図９】本発明に係る包装容器の実施形態における蓋体を示す側面説明図である。
【図１０】図９の断面図である。
【図１１】本発明に係る包装容器の実施形態における蓋体を示す正面説明図である。
【図１２】図１１の断面図である。
【符号の説明】
１          トレー
２          内部収納空間
３          仕切り体
４          模様
５          周壁
６          折り返し外壁
７          連結壁
８          段差肩受け
９          膨出壁
１０        抜け止めストッパ
１１        第一の傾斜辺
１２        第一の屈曲辺
２０        蓋体
２１        屈曲壁
２２        抜け止め穴
２３        第二の傾斜辺
２４        第二の屈曲辺
【図１】
0003559017.tif 000002
【図２】
0003559017.tif 000003
【図３】
0003559017.tif 000004
【図４】
0003559017.tif 000005
【図５】
0003559017.tif 000006
【図６】
0003559017.tif 000007
【図７】
0003559017.tif 000008
【図８】
0003559017.tif 000009
【図９】
0003559017.tif 000010
【図１０】
0003559017.tif 000011
【図１１】
0003559017.tif 000012
【図１２】
0003559017.tif 000013